【事件の表示】
　特願２００５−２００６９２「メダル計数管理システム」拒絶査定不服審判事件〔平成１９年　１月２５日出願公開、特開２００７−　１４６２５〕について、次のとおり審決する。
【結　論】
　本件審判の請求は、成り立たない。
【理　由】
１．手続の経緯
　本願は、平成１７年７月８日の出願であって、平成２３年１月１８日付け（発送：１月２５日）で拒絶査定され、これに対し、同年４月１８日に拒絶査定不服審判の請求がなされ、同日付けで手続補正がなされたものである。
　
　
２．平成２３年４月１８日付け手続補正についての補正却下の決定
［補正却下の決定の結論］
　平成２３年４月１８日付けの手続補正を却下する。
　
［理由］
　（１）補正の内容
　平成２３年４月１８日付けの手続補正（以下、「本件補正」という。）により、特許請求の範囲は、以下のように補正された。
「【請求項１】
　メダルの計数を行なうメダル計数機と、前記メダル計数機の操作者を含む範囲を撮影対象とする撮影手段と、該撮影手段による撮影を制御する撮影制御手段を有する管理装置とを備えたメダル計数管理システムであって、
　前記メダル計数機は、
　前記メダルの計数を行なうメダル計数手段と、
　前記メダル計数手段によって計数されるメダルの画像情報を取得する画像情報取得手段と、
　前記画像情報取得手段によって自店メダルを撮像して画像情報を取得し、取得した画像情報を自店メダル情報として複数種類登録できる自店メダル情報登録手段と、
　前記自店メダル情報登録手段に登録された前記自店メダル情報を記憶／格納する自店メダル情報データベースと、
　前記メダル計数手段によって計数されるメダルの画像情報を取得する画像情報取得手段と、
　前記自店メダル情報登録手段に登録された自店メダルの画像情報と、前記画像情報取得手段によって取得された計数メダルの画像情報を照合し、該メダルが自店メダルであるか、その他の非自店メダルであるかを判別するメダル判別手段と、
　前記非自店メダルの混入割合或いは、上限枚数を非自店メダルの規定占有値として設定する規定占有値設定手段と、
　前記メダル計数手段による計数結果を含む計数情報を前記管理装置に対して送信するとともに、計数処理中に前記メダル判別手段により非自店メダルであると判定されるメダルの混入割合或いは枚数が、前記規定占有値を超えた場合に、前記管理装置に対して、警戒通知信号を出力する制御手段と
　を備えることを特徴とするメダル計数管理システム。
【請求項２】
　前記管理装置は、
　前記メダル計数機により送信される警戒通知信号に基づいて、前記撮影手段に対して、
撮影の開始指示信号を送信し、
　前記撮影手段は、
　前記管理装置から送信された撮影開始指示に基づいて、前記メダル計数機の計数を行なう操作者を撮影し、該撮影情報を管理装置に対して送信することを特徴とする請求項１に記載のメダル計数管理システム。
【請求項３】
　前記メダル計数機によるメダル計数時の操作者が所持する記憶媒体から操作者識別情報を読み取ることで操作者識別情報を取得するとともに、取得した該操作者識別情報を前記管理装置に送信する識別情報取得手段を備え、
　前記管理装置は、
　前記撮影手段により送信された撮影情報を、前記識別情報取得手段により送信された操作者識別情報と関連付けて記憶することを特徴とする請求項２に記載のメダル計数管理システム。
【請求項４】
　前記撮影手段は、
　前記メダル計数機と、該メダル計数機を操作する操作者と、該操作者の近傍に位置する人物を含む範囲、或いは、いずれかの組み合わせの範囲を撮影対象とすることを特徴とする請求項１、２または３に記載のメダル計数管理システム。
【請求項５】
　前記管理装置は、
　前記撮影手段により送信された撮影情報と、前記メダル計数機により送信された前記計数情報とを関連付けて記憶する計数情報データベースを備えることを特徴とする請求項１〜４のいずれか一つに記載のメダル計数管理システム。
【請求項６】
　前記メダル計数機は、
　前記画像情報取得手段によって取得されたメダルの画像情報を前記管理装置へ送信する画像情報送信手段を備え、
　前記管理装置は、
　前記画像情報送信手段により送信された前記画像情報を、前記メダル計数機により送信された前記計数情報と関連付けて記憶する計数情報データベースを備えることを特徴とする請求項１〜５のいずれか一つに記載のメダル計数管理システム。
【請求項７】
　前記管理装置は、
　前記非自店メダルの混入割合或いは、上限枚数を規定占有値として設定し、前記メダル計数機へ送信する非自店メダル占有値管理手段を備え、
　前記メダル計数機は、
　前記非自店メダル占有値管理手段により設定される規定占有値に基づいて、自機に設定された規定占有値を再設定することを特徴とする請求項１〜６のいずれか一つに記載のメダル計数管理システム。
【請求項８】
　前記非自店メダル占有値管理手段により設定される規定占有値は、遊技店の営業時間に応じて変動するように設定されることを特徴とする請求項１〜７のいずれか一つに記載のメダル計数管理システム。」
　
　本件補正は、補正前の請求項１に「前記メダル計数手段によって計数されるメダルの画像情報を取得する画像情報取得手段と、前記画像情報取得手段によって」という事項を付加したものである。
　当該事項を付加した点については、自店メダル情報登録手段に登録する画像情報を得るための画像情報取得手段と、メダル判別手段で用いる画像情報取得手段を兼用することを特定したものと解釈できるので、この補正は、特許請求の範囲の減縮に該当するものと認める。
　したがって、本件補正は、特許法第１７条の２第５項の規定に違反しない。
　次に、本件補正により補正された請求項１に記載された発明（以下、「本件補正発明」という。）が特許出願の際独立して特許を受けることができるものであるかについて検討する。
　
　（２）引用文献に記載された事項
　原査定の拒絶の理由において引用文献１として引用された特開２００４−２３６７４２号公報には、図面とともに、以下の記載がある。
　
（ア）「【０００１】
【発明の属する技術の分野】
　本発明は、スロットマシンに使用されるメダルを計数するためのメダル計数機、特には、他の遊技場等から不正に持ち込まれた非正規のメダルを識別することのできるメダル計数機に関する。」
（イ）「【００１０】
　本発明のメダル計数機は、前記照合手段による照合結果に基づいて、非正規のメダルがあった旨を報知する報知手段を備えることが好ましい。
　このようにすれば、非正規のメダルの存在を簡便に確認することができる。
【００１１】
　本発明のメダル計数機の前記報知手段は、前記非正規メダル計数手段にて計数された非正規のメダル数が予め所定の枚数以上であるときに非正規のメダルがあった旨を報知することが好ましい。
　このようにすれば、所定の枚数未満の少量の非正規メダルが混入している場合には、一々報知されることがなくなるので、頻繁に報知がなされることにともなう係員等の確認労力を低減できる。」
（ウ）「【００１６】
　ここで、メダル計数機１に投入、計数される本実施例に用いたメダル３０ａについて図４に基づいて簡単に説明すると、メダル３０ａは、アンテナコイル３５を内蔵したアンテナ内蔵型のＩＣチップ３４と、ＩＣチップ３４の外周全体を取り囲む樹脂部３６とで構成されたＩＣメダルとされている。
【００１７】
　該ＩＣチップ３４は、ＣＰＵ、ＲＯＭ、ＲＡＭ、ＥＥＰＲＯＭなどを備えたもので、メダル計数機１内部に設けられた後述するＲＦ−ＩＤ読み取りユニット２５から放射される電波に基づいて生成される電力にて付勢されて作動する。
【００１８】
　またＩＣチップ３４のＥＥＰＲＯＭには当該遊技場を識別可能な情報である遊技場ＩＤが記憶されており、ＩＣチップ３４がアンテナコイル３５を備えることにより、該ＥＥＰＲＯＭに記憶している遊技場ＩＤを電波により非接触状態にてＲＦ−ＩＤ読み取りユニット２５に送信できるようになっている。尚、本実施例では、これら当該遊技場の遊技場ＩＤが記憶されたＩＣメダルを正規メダル３０ａとし、当該遊技場の遊技場ＩＤ以外の識別情報が記録されたものや、識別情報の記録のないＩＣメダルやＩＣメダルではない通常のメダル等は非正規のメダル３０ｂとして区別する。
【００１９】
　また、樹脂部３６は、本実施形態ではポリエチレンテレフタレート樹脂からなり、ＩＣチップ３４を設置した金型内に、熱溶融した樹脂材料を充填して冷却・固化することによって形成され、メダル３０の表裏面には、遊技場の名称やその他の装飾模様が刻設されている。」
（エ）「【００２２】
　この本実施例のメダル計数機１の内部の構成は、図２の側断面図に示すようになっており、前記メダル受け皿３の下方には、該メダル受け皿３の中央に設けられた開口から流入したメダルを、回転することによって円周方向に設けられた排出口１９に整列して送り出すための回転板１５が、筐体２の中央を横断するように設けられた機構盤１８上に設けられているとともに、該回転板１５の外周には、該回転板１５に外接するように円筒状の枠体１４が設けられている。また、前記回転板１５の回転中心部には、前記メダル受け皿３の中央に設けられた開口内に位置するように円柱状の回転子１６が設けられていて、該回転子１６が回転板１５とともに回転することで、投入されたメダルが該開口にて目づまりを生じることなく回転板１５上に流入するようになっている。尚、図中の１７は、前記回転板１５並びに回転子１６を回動させるための円盤駆動モータである。
【００２３】
　また、前記排出口１９には、該排出口１９から整列排出されたメダル３０が搬送される搬送路２１の一端が接続されている。（図３参照）
【００２４】
　搬送路２１には一対の平行なガイドレール２１’を設けてあり、ガイドレール２１’はメダル３０の直径方向両端周縁をメダル下面側から支持するようになっている。従って、ガイドレール２１’上に載置されたメダル３０は、平面状に一列に整列して搬送路２１を進む。ガイドレール２１’に下面を支持されたメダル３０は、直径方向両端の外周がガイドレール２１’から若干突出するようになっている。
【００２５】
　本実施例では、搬送路２１の上流部、具体的には、後述する進路変更板２９の上流域において、ガイドレール２１’の間が空隙とされていて、計数対象となる直径φのメダル３０のみを載置搬送し、これより小さい直径の非計数対象のメダルや異物等が、ガイドレール２１’間に落下するようになっている。
【００２６】
　この一対のガイドレール２１’を有する搬送路２１の略両端位置には、一対のローラ２２，２３を設けてあり、両ローラ２２，２３間に無端状のゴムベルト２４を、前記ガイドレール２１’間を搬送されるメダル３０に無端状のゴムベルト２４が当接するように張架するとともに、前記ローラ２３を搬送駆動モータ３３にて駆動することで、該搬送路２１上を無端状のゴムベルト２４の移動に伴ってメダルが整列移動するようになっている。
【００２７】
　また、搬送路２１の最上流部位置には、前記排出口１９から整列排出されたメダル３０の存在を検知するためのメダル検出センサ２７が設けられているとともに、該メダル検出センサ２７のメダルの移動方向直下位置には、移動してきたメダル３０に内在されているＩＣチップ３４に記憶されている識別情報を読み取るためのＲＦ−ＩＤ読み取りユニット２５が、前記両ローラ２２，２３間に張架されたゴムベルト２４間に介在するとともに、前記搬送路２１を近接して覆うように設けられている。
【００２８】
　更に、ＲＦ−ＩＤ読み取りユニット２５の下流位置には、ソレノイド２６の励磁により、揺動軸２９’の揺動中心として上下方向に揺動する進路変更板２９が、搬送路２１を横断するように設けられており、通常においては、進路変更板２９が搬送路２１と同一平面上に位置することで、搬送路２１を移動してきたメダル３０が進路変更板２９上を通過して、搬送路２１の終端へ移動して、回収口３２’から回収経路３２を落下して、メダル計数機１の下面からメダル計数機１の下方に設けられた回収ボックス（図示略）に回収される。また、前記ＲＦ−ＩＤ読み取りユニット２５により読み取られた識別情報である遊技場ＩＤが、自店のものではない場合には、前記ソレノイド２６の励磁により前記揺動軸２９を中心として揺動し、進路変更板２９が搬送路２１の搬送面よりも下方に落下口３１’に向けて傾斜した状態となることで、該進路変更板２９の位置に進入してきたメダルが進路変更板２９上を流下して進路変更板２９の流下方向下端位置に設けられている非正規メダル検出センサ２８にて検出された後に、落下口３１’へと流入し、落下路３１を通じて機構盤１８の下方に設けられた収集部２０に回収されるようになっている。」
（オ）「【００５２】
　以上、本実施例のメダル計数機１によれば、計数メダル中に自店の識別情報と一致しない非正規のメダルが混入していた場合においては、正規／非正規のメダルが分別されるとともに、正規／非正規が判断される以前の総メダル数がメダル数として出力されるようになるため、これら非正規のメダル数を遊技者が損してしまうことを解消できる。
【００５３】
　前記各実施例における各要素は、本発明に対して以下のように対応している。
　本発明の請求項１は、計数するために受付けられたメダル３０を計数するメダル計数手段（ＲＦ−ＩＤ読み取りユニット２５）と、該メダル計数手段（ＲＦ−ＩＤ読み取りユニット２５）にて計数したメダル数を出力する総メダル数出力手段（総メダル数表示器９）と、前記メダルの記憶部（ＩＣチップ３４）に記憶されている識別情報（遊技場ＩＤ）を読み取る識別情報読み取り手段（ＲＦ−ＩＤ読み取りユニット２５）と、該識別情報読み取り手段（ＲＦ−ＩＤ読み取りユニット２５）にて読み取った前記メダルの識別情報（遊技場ＩＤ）が、正規のメダル（３０ａ）であることを示す識別情報（遊技場ＩＤ）であるか否かを照合する照合手段（制御部１３）と、該照合手段（制御部１３）による照合結果に基づいて、正規のメダル（３０ａ）と非正規のメダル（３０ｂ）とを振分ける振分け手段（経路切替ソレノイド２６、進路変更板２９）と、該振分け手段（経路切替ソレノイド２６、進路変更板２９）にて振分けられた非正規のメダル（３０ｂ）を収集する非正規メダル収集手段（落下路３１、収集部２０）と、を備える。
【００５４】
　本発明の請求項２は、前記振分け手段（経路切替ソレノイド２６、進路変更板２９）にて振り分けられた非正規のメダル（３０ｂ）を計数する非正規メダル計数手段（ＲＦ−ＩＤ読み取りユニット２５）と、該非正規メダル計数手段（ＲＦ−ＩＤ読み取りユニット２５）にて計数された非正規のメダル数を出力する非正規メダル数出力手段（非正規メダル表示器１１）を備える。
【００５５】
　本発明の請求項３は、前記振分け手段（経路切替ソレノイド２６、進路変更板２９）は、メダル通路（２１）上の前記識別情報読み取り手段（ＲＦ−ＩＤ読み取りユニット２５）の下流位置に設けられ、メダル通路（２１）を正規なメダル（３０ａ）の経路と、非正規なメダル（３０ｂ）の経路とに切り替える経路切替部材（進路変更板２９）と、該経路切替部材（進路変更板２９）による経路を前記照合手段（制御部１３）による照合結果に基づいて切り替える制御を行う経路切替制御部（制御部１３）と、を含む。
【００５６】
　本発明の請求項４は、前記照合手段（制御部１３）による照合結果に基づいて、非正規のメダル（３０ｂ）があった旨を報知する報知手段（報知ＬＥＤ４）を備える。
【００５７】
　本発明の請求項５は、前記報知手段（報知ＬＥＤ４）は、前記非正規メダル計数手段（ＲＦ−ＩＤ読み取りユニット２５）にて計数された非正規のメダル（３０ｂ）数が予め所定の枚数（５枚）以上であるときに非正規のメダル（３０ｂ）があった旨を報知する。
【００５８】
　本発明の請求項６は、前記非正規メダル計数手段（ＲＦ−ＩＤ読み取りユニット２５）にて計数された非正規のメダル（３０ｂ）数が予め所定の枚数（４枚）以下であるときに前記総メダル数算出手段（制御部１３）にて算出された総メダル数の情報が記録された記録媒体（レシート４１）を発行する。
【００５９】
　本発明の請求項７は、その時点における日時情報を出力する日時情報出力手段（ＲＴＣ）と、前記メダル計数手段（ＲＦ−ＩＤ読み取りユニット２５）並びに前記非正規メダル計数手段（ＲＦ−ＩＤ読み取りユニット２５）にて計数された総メダル数と非正規のメダル（３０ｂ）数の情報を含む計数結果を、前記日時情報出力手段（ＲＴＣ）から出力される日時情報に対応付けて計数履歴として記憶する計数履歴記憶手段（ＲＡＭ；計数履歴テーブル）と、該計数履歴記憶手段（ＲＡＭ；計数履歴テーブル）に記憶されている計数履歴を出力するための計数履歴出力手段（レシートプリンタ１２）と、を備える。
【００６０】
　本発明の請求項８は、前記メダル計数手段（ＲＦ−ＩＤ読み取りユニット２５）並びに前記非正規メダル計数手段（ＲＦ−ＩＤ読み取りユニット２５）にて計数された総メダル数と非正規のメダル（３０ｂ）数の情報を含む計数結果を計数履歴として記憶する計数履歴記憶手段（ＲＡＭ；計数履歴テーブル）と、前記計数履歴記憶手段（ＲＡＭ；計数履歴テーブル）に記憶されている計数履歴に基づいて、計数した総メダル数と非正規のメダル（３０ｂ）数の累計枚数、並びに正規のメダル（３０ａ）数の累計枚数を集計する集計手段（制御部１３）と、該集計手段（制御部１３）により集計された正規のメダル（３０ａ）数と非正規のメダル（３０ｂ）数並びに総メダル数の累計枚数の情報を出力する累計枚数出力手段（レシートプリンタ１２）と、を備える。」
（カ）「【００６５】
　また、前記実施例では、これら非正規のメダルがあった旨の報知を報知ＬＥＤ４にて実施するようにしているが、本発明はこれに限定されるものではなく、これら報知出力を、例えばホールコンピュータ等に対して出力するようにし、該ホールコンピュータにおいて非正規のメダルがあった旨の報知を表示する等により、メダルを投入した遊技者には、非正規のメダルがあった旨が認識されないようにしても良いし、更には、該メダル計数器１や或いは該メダル計数器１を撮像可能な位置に監視カメラ等を設けておき、これらの報知出力に基づいて、監視カメラの画像を記録できるようにしても良い。」
（キ）「【００７０】
　また、前記実施例では、識別情報読み取り手段であるＲＦ−ＩＤ読み取りユニット２５が、メダル計数手段並びに非正規メダル計数手段としても機能するようにしており、該ＲＦ−ＩＤ読み取りユニット２５にて読み取った遊技場ＩＤによって、メダルを識別するとともに計数を実施するようにすることで、メダルを検出するセンサの数を低減して構成を簡素化できるようにしているが、本発明はこれに限定されるものではなく、前記メダル計数手段をメダル検出センサ２７とし、該メダル検出センサ２７によるメダル検出に基づいて総メダル数を計数しても良いし、非正規メダル計数手段を非正規メダル検出センサ２８とし、該非正規メダル検出センサ２８よるメダル検出に基づいて非正規メダル数を計数しても良いし、更には、これらの各メダル検出センサ２７と非正規メダル検出センサ２８による検出と、前記ＲＦ−ＩＤ読み取りユニット２５による計数手段とを両方備え、いずれかが不具合を生じても正規メダル並びに非正規メダルの計数が実施できるようにしても良い。」
　
　以上、（ア）ないし（キ）の記載、および図面を総合すると、引用文献１には、以下の発明が開示されていると認めることができる。
　
「１　メダルの存在を検知するメダル検出センサ２７、およびメダルの識別を行うＲＦ−ＩＤ読み取りユニット２５を備えたメダル計数機である。
　２　メダルが投入されると、メダル検出センサ２７およびメダルの識別を行うＲＦ−ＩＤ読み取りユニット２５によってメダル数が計数される。
　３　メダルには、アンテナコイルが内蔵され遊技場を識別可能な固有の遊技場ＩＤが記憶されたＩＣチップが埋め込まれており、ＲＦ−ＩＤ読み取りユニット２５によってメダルに記憶された遊技場ＩＤを読み取ることができる。
　４　投入されたメダルは、前記ＲＦ−ＩＤ読み取りユニット２５によってメダルに記憶された遊技場ＩＤが読み取られ、予め登録されている当該遊技場（自遊技場）に対応する遊技場ＩＤと前記読み取った遊技場ＩＤとを照合手段により照合して、当該メダルが正規メダル（当該遊技場のメダル）であるか非正規メダルであるかを区別する。
　５　前記照合手段によって区別された正規メダル数と非正規メダル数、および総メダル数が計数されて記録され、また非正規メダル数が所定数（５枚）以上のとき、非正規のメダルがあった旨が報知される。
　６　非正規メダルがあった旨の報知出力は、ホールコンピュータ等に出力されてもよく、更には、該メダル計数機を撮影可能な位置に監視カメラ等を設けて、前記報知出力に基づいて監視カメラの画像を記録できるようにしてもよい。」
（以下、この発明を「引用発明１」という。）
　
　また、原査定の拒絶の理由において引用文献２として引用された特表２００２−５４１５３８号公報には、図面とともに、以下の記載がある。
　
（ク）「【０００１】
発明の属する技術分野
　本発明は、コイン識別装置に関し、特に、コインの表面の画像を形成するカメラ手段と、画像を分析してコインのタイプを決定するためにカメラ手段に機能的に接続されている処理手段とを備えた種類のコイン識別装置に関する。本発明は、このようなコイン識別装置を組み込んだコイン処理装置にも関する。また、コイン識別方法に関する。
【０００２】
従来の技術
　コイン識別装置、又はコイン識別器が、機械によって処理する各コインのタイプ（単位）を同定するために、例えばコイン計数機／分類機に使用されている。さらに、コイン識別器は、外国のコイン、偽造コインや（例えば過度の磨耗による）さらなる流通には適していないコインを分類するコイン検査システムに使用されている。」
（ケ）「【０００５】
　異なるかなりより高価な種類のコイン識別器は、光学パターン認識識別器であり、この識別器は、例えばグレイスケール又は単色のコイン表面の画像を形成し、画像分析方法と記憶されたコインの基準データの比較によってコインのタイプを同定する。このタイプの光学パターン認識識別器は、欧州特許第７９８６６９号、欧州特許第７９８６７０号、日本国特許第１０１０５７６５号、日本国特許第９２５９３２０号及び米国特許第５５７６８２５号に示されている。これら識別器は、コインの一面に光を投影する発光手段と、コインから反射した光から画像を形成するカメラ又は他の光学的センサ手段と、異なるタイプのコインに関連した基準データと画像を比較することによってコインのタイプを決定する処理手段とを備えている。」
（コ）「【０００７】
発明の概要
　本発明の目的は、個々のコインのタイプをより正確に決定することができる、光学コイン識別装置を提供することである。
【０００８】
　この目的は、各コインの第一面の一つの画像と、コインの第二面の他の画像とを形成する二つの別個のカメラ又は光学的センサを備えた識別器によって実現される。識別器のプロセッサは、両方の画像を分析し、第一面のタイプと第二面のタイプを別個に決定するために、予め定めたコイン基準データと両方の画像を比較するように配置されている。二つの決定された面を組み合わせることによって、コインのタイプは正確に形成されることができる。」
（サ）「【００１２】
　図２は、上カバーが除去されて識別キャビネットドア５１が開放位置にあるコイン処理装置を示している。本発明のコイン識別装置の三つの主な要素、すなわち第一カメラ７０、第二カメラ８０及びプロセッサ９０がドア５１の内側に取り付けられている。カメラ７０、８０は、各装着レール７２及び８２上に取り付けられている。カメラ７０、８０及びプロセッサ９０全ては、キャビネット５０内に各収容部５８、６０及び６２を有する。
【００１３】
　好適な実施例において、カメラ７０及び８０はデジタルＣＣＤカメラであり、これらカメラは、以下により詳細に説明するように、コイン１５の両面のデジタルグレイスケール画像を形成するように配置されている。しかしながら、カメラは、単色、グレイスケール、又は色彩の画像を形成することができる任意の他の光学センサに交換することができる。それゆえ、添付した請求の範囲に使用されている語「カメラ手段」は、可能な限り最も広い意味で解釈されるべきである。」
（シ）「【００２１】
　その結果、図２に示すように、コイン１５の正面（上面）及び背面（下面）が本質的に第一カメラ７０及び第二カメラ８０に晒される。コイン１５が分離装置３０によって図２に示されている位置へ運送される時、コインは両方のカメラ７０、８０に対して垂直に整列されている。この瞬間、プロセッサ９０は、カメラ７０、８０へ制御信号を発し、第一カメラ７０によるコイン１５の正面の第一の写真画像と共に、第二カメラ８０によるコイン１５の背面の第二の写真画像を撮り始める。
【００２２】
　当業者が容易に認識できるように、実施条件に依っては、コインの表面は外部光で照らされなければならない。なお、このような外部光による二つのカメラ７０、８０の間の光学的干渉を防ぐために計測されなければならない。
【００２３】
　このようにして形成された第一の画像及び第二の画像は、（電線、両端におけるコネクタ及び電気コントローラなどの）適切なインターフェイス手段を介してプロセッサ９０へ送られる。プロセッサは画像処理ソフトウェアルーチンを実施し、二つのコインの面の簡略化されかつ濾過されたデジタル画像を得る。こうして得られた最終結果は、プロセッサ９０によって、予め定めたコイン基準データと比較される。このコイン基準データは、複数の公知のコインタイプを示し、プロセッサ９０に属する記憶装置に記憶されている。好ましくは、プロセッサ９０は、第一の画像と第二の画像の各々と予め定めた基準データの間の最大の相関性を計算し、これに応じてコインのタイプを決定する。
【００２４】
　このコインのタイプはコイン１５の単位又はコイン１５の通貨に関連している。あるいは、決定されるタイプは、偽造のコインと本物のコインを区別するために、又は磨耗した又は損傷したコインを同定するために、プロセッサ９０によって使用される。」
　
　以上、（ク）ないし（シ）の記載、および図面を総合すると、引用文献２には、以下の発明が開示されていると認めることができる。
　
「１．コインの表面の画像を撮影するカメラ手段と、画像を分析してコインのタイプ、例えば、外国のコイン、偽造コイン等を決定するためにカメラ手段に機能的に接続されている処理手段とを備えた、コイン識別装置である。
　２．識別対象となるコイン１５の正面（上面）及び背面（下面）が第一カメラ７０及び第二カメラ８０に晒されて撮影され、第一カメラ７０によるコイン１５の正面の第一の画像と共に、第二カメラ８０によるコイン１５の背面の第二の画像を得る。
　３．前記第一の画像及び第二の画像は、プロセッサ９０によって、予め定めた複数のコイン基準データと比較される。このコイン基準データは、複数の公知のコインタイプを示し、プロセッサ９０に属する記憶装置に記憶されている。
　４．上記比較の結果、偽造のコインと本物のコインの区別、又は摩耗、損傷したコインを同定する。」
（以下、この発明を「引用発明２」という。）
　
　（３）対比
　引用発明１と本件補正発明を対比する。
　引用発明１の「メダル計数機を撮影可能な位置に設けられた監視カメラ」は、当該メダル計数機を使用している操作者を撮影することが目的であるから、本件補正発明の「メダル計数機の操作者を含む範囲を撮影対象とする撮影手段」に相当し、また、引用発明１の「監視カメラ」は、ホールコンピュータによって制御されていることは明らかであり、引用発明１の「ホールコンピュータ」は本件補正発明の「管理装置」に相当するから、引用発明１と本件補正発明は、「該撮影手段による撮影を制御する撮影制御手段を有する管理装置とを備えた」点で一致する。
　引用発明１の各メダルを区別するための「遊技場ＩＤ」は、各メダルを区別するという意味で本願補正発明における「メダルの画像情報」に対応するものであり、引用発明１の「ＲＦ−ＩＤ読み取りユニット２５」は、投入されたメダルから各メダルを区別するための前記「遊技場ＩＤ」を読み取る手段であるから、引用発明１と本願補正発明は、「メダルの情報を取得する情報取得手段」を備えている点で一致する。
　引用発明１の「照合手段」は、予め登録されている自遊技場（自店）の遊技場ＩＤと、メダルから読み取った遊技場ＩＤとを照合して、正規のメダル（自店メダル）であるのか非正規のメダル（非自店メダル）であるのか区別するものであるから、引用発明１と本件補正発明は、「登録された自店メダルの情報と、前記情報取得手段によって取得された計数メダルの情報を照合し、該メダルが自店メダルであるか、その他の非自店メダルであるかを判別するメダル判別手段」を備えている点で一致する。
　引用発明１は、メダルの計数処理中に前記メダル判別手段によって非正規のメダルと判定されたメダル数が所定数以上であるとき、非正規のメダルがあった旨の報知出力をホールコンピュータに出力しており、引用発明１の前記「所定数」および「非正規のメダルがあった旨の報知出力」は、それぞれ本件補正発明の「非自店メダルの規定占有値としての上限枚数」および「警戒通知信号」に相当するから、引用発明１と本件補正発明は、「計数処理中に前記メダル判別手段により非自店メダルであると判定されるメダルの枚数が、規定占有値を超えた場合に、前記管理装置に対して、警戒通知信号を出力する制御手段」を備える点で一致する。　
　
　以上のことから、引用発明１と本件補正発明は、
　＜一致点＞
「メダルの計数を行なうメダル計数機と、前記メダル計数機の操作者を含む範囲を撮影対象とする撮影手段と、該撮影手段による撮影を制御する撮影制御手段を有する管理装置とを備えたメダル計数管理システムであって、
　前記メダル計数機は、
　前記メダルの計数を行なうメダル計数手段と、
　前記メダル計数手段によって計数されるメダルの情報を取得する情報取得手段と、
　登録された自店メダルの情報と、前記情報取得手段によって取得された計数メダルの情報を照合し、該メダルが自店メダルであるか、その他の非自店メダルであるかを判別するメダル判別手段と、
　計数処理中に前記メダル判別手段により非自店メダルであると判定されるメダルの枚数が、規定占有値を超えた場合に、前記管理装置に対して、警戒通知信号を出力する制御手段と
　を備えたメダル計数管理システム。」
　である点で一致しており、以下の点で相違している。
　
　＜相違点１＞
　本件補正発明は、「前記メダル計数手段によって計数されるメダルの画像情報を取得する画像情報取得手段と、前記画像情報取得手段によって自店メダルを撮像して画像情報を取得し、取得した画像情報を自店メダル情報として複数種類登録できる自店メダル情報登録手段と、前記自店メダル情報登録手段に登録された前記自店メダル情報を記憶／格納する自店メダル情報データベース」を備えている、つまり、本件補正発明は、メダルを識別するための情報としてメダル表面を撮像して得られる画像情報を用いるものであり、複数種類の自店メダル（正規のメダル）を撮像して当該複数種類のメダルの画像情報を取得し、当該画像情報を、識別のための基準情報としてデータベースに記憶／格納するものであるのに対して、
　引用発明１は、メダルを識別するための情報としてメダルに設けられたＩＣチップに記憶された遊技場ＩＤを用いるものであり、識別のための基準情報とする当該遊技場の遊技場ＩＤ（正規のメダル情報）は、予め記憶手段に記憶されているものである点。
　＜相違点２＞
　本件補正発明は、投入されたメダルが自店メダルであるか、その他の非自店メダルであるかを判別するメダル判別手段が、「前記メダル計数手段によって計数されるメダルの画像情報を取得する画像情報取得手段と、前記自店メダル情報登録手段に登録された自店メダルの画像情報と、前記画像情報取得手段によって取得された計数メダルの画像情報を照合して判別する」もの、つまり、本件補正発明は、自店メダルと非自店メダルの判別手段が、メダルを撮像して得られた画像情報と、識別のための基準情報である画像情報を照合するものであるのに対して、
　引用発明１は、自店メダルと非自店メダルの判別手段が、投入されたメダルから得られた遊技場ＩＤと、識別のための基準情報である自遊技場ＩＤを照合するものである点。
　＜相違点３＞
　本件補正発明は、「前記非自店メダルの混入割合或いは、上限枚数を非自店メダルの規定占有値として設定する規定占有値設定手段」を備えている、つまり、非自店メダルの混入割合或いは、上限枚数は任意に設定できるのに対して、
　引用発明１は、「上限枚数」に対応する値は予め設定されており、任意に設定（変更）できるか不明である点。
　＜相違点４＞
　本件補正発明は、「前記メダル計数手段による計数結果を含む計数情報を前記管理装置に対して送信」しているのに対して、
　引用発明は、上記構成を備えていない点。
　
　（４）判断
　＜相違点１＞について
　種類に応じて表面図柄が異なるコイン等（メダルも実質的に同種のものといえる）を識別する手段として、コイン等の表面図柄を撮像した画像情報を用いることは、前記引用発明２にあるように知られている。
　したがって、引用発明１のように、ＩＤ情報を用いてメダルを識別するものを、メダル表面を撮像した画像情報を用いてメダルを識別するものに換えることは、引用発明２から容易に想到できたと認められる。
　ところで、引用発明２は、複数のメダルを識別するための基準となる画像情報が基準データとして記憶装置に記憶されているものではあるが、当該記憶装置にどのように基準データを記憶するかについては特段示されていない。
　しかしながら、画像情報を用いるコイン等の識別手段において、複数種類の正規のコイン等を予め当該識別手段で撮像して、その画像情報を識別の基準となる画像情報（基準データ）として記憶しておくという技術は、審尋において示した特開２０００−２４２８２２号公報（特に、段落【００５３】〜【００５４】参照）に記載されているだけでなく、広く知られた技術と認められるから、正規のコイン等を識別手段で撮像して得られた画像情報を、識別のための基準データとして記憶しておくことは、適宜なし得る設計事項にすぎないといわざるを得ない。
　＜相違点２＞について
　引用発明２は、カメラで識別対象となるコインの表面を撮像して画像情報を得た後、当該画像情報とコイン基準データ（基準となる画像情報）とを比較して、当該コインのタイプ（コインの種類、真贋）を識別するものである。
　そして、コインやメダルを識別するために、ＩＤ情報を用いるか画像情報を用いるかは適宜選択し得る事項にすぎないので、引用発明１のように、投入されたメダルから得られたＩＤ情報と自遊技場ＩＤと照合することにより自店メダルと非自店メダルを判別するものを、投入されたメダルを撮像して得られた画像情報と基準情報である画像情報を照合することにより自店メダルと非自店メダルを判別するものに換えることは、引用発明２から当業者が容易に想到できたということができる。
　＜相違点３＞について
　異常や不正を判断するための基準値（閾値）を設定手段によって任意に設定できるようにすることは、例を示すまでもなく周知慣用な技術であるから、引用発明１において、非正規メダルがあった旨の報知信号を出力する基準値（５枚）を設定手段によって任意に設定（変更）できるようにすることは、当業者が適宜なし得たものと認められる。
　＜相違点４＞について
　引用発明１のメダル計数機は、非正規メダルがあった旨の報知信号をホールコンピュータ（本願補正発明では管理装置に対応するもの）に出力しているのであるから、当該メダル計数機がホールコンピュータと接続されていることは自明である。
　また、ホールコンピュータと接続されたメダル計数機のような周辺機器においては、ホールコンピュータで情報を管理するために、当該周辺機器で得られた情報をホールコンピュータに向けて出力するようなことは慣用手段である。
　そうすると、引用発明１のメダル計数機はメダル計数手段による計数結果を含む計数情報を持っているのであるから、当該情報をホールコンピュータに出力する程度のことは当業者が容易に想到し得たものと認められる。
　
　さらに、上記した全ての相違点および本件補正発明の作用効果を総合的に勘案しても、本件補正発明に格別のものを認めることができない。
　以上のように、本件補正発明は、引用発明１、引用発明２および周知技術に基づいて、当業者が容易に発明をすることができたものである。
　したがって、本件補正発明は、特許法第２９条第２項の規定により、その特許出願の際に独立して特許を受けることができない。
　
　（５）本件補正発明についてのまとめ
　以上のとおり、本件補正は、特許法第１７条の２第６項において準用する同法第１２６条第５項の規定に違反するものであるから、同法第１５９条第１項の規定において読み替えて準用する同法第５３条第１項の規定により却下すべきものである。
　
　
３．本件発明について
　（１）本件発明及び引用文献に記載された発明
　平成２３年４月１８日付けの手続補正は上記のとおり却下されたので、請求項に係る発明は、平成２２年１２月９日付け手続補正書により補正された特許請求の範囲に記載した請求項１ないし請求項８に記載されたとおりのものである。
　そして、請求項１に係る発明は以下のとおりである。
「【請求項１】
　メダルの計数を行なうメダル計数機と、前記メダル計数機の操作者を含む範囲を撮影対象とする撮影手段と、該撮影手段による撮影を制御する撮影制御手段を有する管理装置とを備えたメダル計数管理システムであって、
　前記メダル計数機は、
　前記メダルの計数を行なうメダル計数手段と、
　自店メダルを撮像して画像情報を取得し、取得した画像情報を自店メダル情報として複数種類登録できる自店メダル情報登録手段と、
　前記自店メダル情報登録手段に登録された前記自店メダル情報を記憶／格納する自店メダル情報データベースと、
　前記メダル計数手段によって計数されるメダルの画像情報を取得する画像情報取得手段と、
　前記自店メダル情報登録手段に登録された自店メダルの画像情報と、前記画像情報取得手段によって取得された計数メダルの画像情報を照合し、該メダルが自店メダルであるか、その他の非自店メダルであるかを判別するメダル判別手段と、
　前記非自店メダルの混入割合或いは、上限枚数を非自店メダルの規定占有値として設定する規定占有値設定手段と、
　前記メダル計数手段による計数結果を含む計数情報を前記管理装置に対して送信するとともに、計数処理中に前記メダル判別手段により非自店メダルであると判定されるメダルの混入割合或いは枚数が、前記規定占有値を超えた場合に、前記管理装置に対して、警戒通知信号を出力する制御手段と
　を備えることを特徴とするメダル計数管理システム。」
（以下、この発明を「本件発明」という。）
　
　また、引用文献に記載された発明は、「２．（２）引用文献に記載された事項」に記載したとおりである。
　
　（２）対比・判断
　本件発明は、前記２．で検討した本件補正発明から、「前記メダル計数手段によって計数されるメダルの画像情報を取得する画像情報取得手段と、前記画像情報取得手段によって」という事項を削除したものである。
　そうすると、本件発明の構成要件を全て含み、さらに他の構成要件を付加して発明を限定したものに相当する本件補正発明が、前記２．（４）に記載したとおり、引用発明１、引用発明２および周知技術に基づいて当業者が容易に発明をすることができたものであるから、本件発明も同様の理由により、当業者が容易に発明をすることができたものである。
　
　（３）むすび
　以上のとおり、本件発明は、引用発明１、引用発明２および周知技術に基づいて当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。